(57)【特許請求の範囲】
【請求項１】
連結部と、該連結部の一端に一体的に設けられた第１の板部と、該連結板部の他端に一体的に前記第１の板部とほぼ平行に設けられた第２の板部とを備え、
前記第１の板部のネジ穴に螺着された締付けボルトの先端と、前記第２の板部の幅方向に両側から一体的に前記第１の板部側へ立設された側板部との間で他物体を挟持することによって他物体に固定され、前記第２の板部の取付け穴によって吊りボルトの上端部を支持する支持金具であって、
前記取付け穴が、フランジ付きナットの多角形の頭部が前記第２の板部の板厚方向に挿通可能で回転不能なように、前記多角形を同心に周方向にずらして重ねた形状にされていることを特徴とする支持金具。
【請求項２】
連結部と、該連結部の一端に一体的に設けられた第１の板部と、該連結板部の他端に一体的に前記第１の板部とほぼ平行に設けられた第２の板部とを備え、
前記第１の板部のネジ穴に螺着された締付けボルトの先端と、前記第２の板部の幅方向に両側から一体的に前記第１の板部側へ立設された側板部との間で他物体を挟持することによって他物体に固定され、前記第２の板部の取付け穴によって吊りボルトの上端部を支持する支持金具であって、
前記取付け穴が、フランジ付きナットの多角形の頭部が前記第２の板部の板厚方向に挿通可能で回転不能なように、前記多角形と正円とが同心で且つ前記多角形の頂点が前記円の弧より外側に位置するように重ねた形状にされていることを特徴とする支持金具。
【請求項３】
連結部と、該連結部の一端に一体的に設けられた第１の板部と、該連結板部の他端に一体的に前記第１の板部とほぼ平行に設けられた第２の板部とを備え、
前記第１の板部のネジ穴に螺着された締付けボルトの先端と、前記第２の板部の幅方向に両側から一体的に前記第１の板部側へ立設された側板部との間で他物体を挟持することによって他物体に固定され、前記第２の板部の取付け穴によって吊りボルトの上端部を支持する支持金具であって、
前記取付け穴が、フランジ付きナットの多角形の頭部が前記第２の板部の板厚方向に挿通可能で回転不能なように、前記頭部を通過させる正円の内側に複数の突起を突出させた形状にされていることを特徴とする支持金具。
【発明の詳細な説明】
【技術分野】
【０００１】
本発明は、締付けボルトによって他物体に固定され、取付け穴において吊りボルト、チェーン、管、ケーブル、照明器具などを支持する支持金具に関する。
【背景技術】
【０００２】
従来よりＣ字状の支持金具を例えばＬ型鋼などの横架材に締付けボルトによって固定し、この支持金具の下側の円形の取付け穴に種々の取付け補助具を用いて、例えば電線管やケーブル、照明器具などの種々の物体を支持することが行われているが、この取付け穴に吊りボルトの上端部を支持することも行われている。
【０００３】
この取付け穴への吊りボルトの上端部の支持は、共回り防止用受け具や円柱状のネジ穴部を有するＴ字形ナットを組合わせて支持金具の取付け穴の上側にいれて、下方から吊りボルトをＴ字形ナットに螺着することによって吊りボルトを取付けて支持している。
【発明の開示】
【発明が解決しようとする課題】
【０００４】
しかしなから、このような吊りボルトの支持では、高価な共回り防止用受け具やＴ字形ナットを別途購入しなければならず（しかも吊りボルトの径に合わせて異なるＴ字形ナットが必要）、また部品点数が増えて施工の手間が煩雑で時間がかかる。
【０００５】
このため、支持金具の取付け穴を筒状に加工して筒部内周にネジ面を設けたものが製作されているが、このような支持金具にすると、径が異なる吊りボルトを使用できないという問題が生じる。また、このように取付け穴を筒部にすると、前期した電線管、ケーブル、照明器具などを取付けるための取付け補助具が使用できなくなり、電線管、ケーブル、照明器具の支持ができなくなるという問題も生じる。
【０００６】
本発明はこのような問題を解決し、径の異なる吊りボルトを支持でき、また、電線管、ケーブル、照明器具などの取付けにも支障を来さないようにした支持金具を提供することを目的としている。
【課題を解決するための手段】
【０００７】
前記目的を達成するため、本発明の請求項１の支持金具は、
連結部と、該連結部の一端に一体的に設けられた第１の板部と、該連結板部の他端に一
体的に前記第１の板部とほぼ平行に設けられた第２の板部とを備え、
前記第１の板部のネジ穴に螺着された締付けボルトの先端と、前記第２の板部の幅方向
に両側から一体的に前記第１の板部側へ立設された側板部との間で他物体を挟持すること
によって他物体に固定され、前記第２の板部の取付け穴によって吊りボルトの上端部を支
持する支持金具であって、
前記取付け穴が、フランジ付きナットの多角形の頭部が前記第２の板部の板厚方向に挿通可能で回転不能なように、前記多角形を同心に周方向にずらして重ねた形状にされていることを特徴としている。
【０００８】
また、本発明の請求項２の支持金具は、前記取付け穴が、フランジ付きナットの多角形の頭部が前記第２の板部の板厚方向に挿通可能で回転不能なように、前記頭部を通過させる正円の内側に複数の突起を突出させた形状にされていることを特徴とし、本発明の請求項３の支持金具は、前記取付け穴が、フランジ付きナットの多角形の頭部が前記第２の板部の板厚方向に挿通可能で回転不能なように、前記頭部を通過させる正円の内側に複数の突起を突出させた形状にされていることを特徴としている。
【発明の効果】
【０００９】
このように構成されているため、本発明の請求項１〜３の支持金具は、フランジ付きナットの多角形の頭部を取付け穴にいれて下側から吊りボルトを螺着すれば頭部が取付け穴内で回転不能なため、高価な共回り防止受け具やＴ字形ナットが不要となり、また、径の異なるフランジ付きナットを用いることによって吊りボルトの径が異なっても支持金具が対応できる。
【００１０】
また、ナットの多角形を同心に周方向にずらして重ねた形状、または多角形と正円とが同心で且つ前記多角形の頂点が前記円の弧より外側に位置するように重ねた形状、またはナット頭部を通過させる正円の内側に複数の突起を突出させた形状の正円に近い取付け穴が平板に形成されているから、円形穴用の取付け補助具の使用にも支障を来すことがない。
【発明を実施するための最良の形態】
【００１２】
図１は本発明の実施形態の支持金具１０を示している。
図１に示すようにこの支持金具１０は、円弧状の連結部１１と、この連結部１１の一端に一体的に設けられた第１の板部１２と、連結部１１の他端に一体的に前記第１の板部１２とほぼ平行に設けられた第２の板部１３を備え、金属板によってほぼＣ字状に構成されている。なお、１１ａは連結部１１に設けられた取付け穴である。
【００１３】
連結部１１、第１の板部１２、第２の板部１３の幅方向の両側には、図２に示すようにそれぞれ側板１４ａ，１４ｂ，側板１５ａ，１５ｂ，側板１６ａ，１６ｂが一体的に連なって連結部１１、第１の板部１２、第２の板部１３にほぼ垂直な方向に立設されている。  
【００１４】
図３に示すように第１の板部１２にはネジ穴１７が設けられ、このネジ穴１７に締付けボルト１８が螺着されている。
従って、図３に示すように、第１の板部１２と第２の板部１３との間に例えばＬ型鋼２０などの水平部２１をいれて、締付けボルト１８をネジこめば、締付けボルト１８の先端部１８ａと側板１６ａ，１６ｂの上端部との間に水平部２１が挟持され、これによって水平部２１に支持金具１０が固定される。
【００１５】
第２の板部１３には取付け穴２５が設けられている。
この取付け穴２５は、吊りボルト３０を螺着させるためのフランジ付き多角形ナット４０（例えば図４では六角形ナットを示しているが、四角形ナット、五角形ナットでもよい）の多角形（例えば六角形）頭部４１が、図５に示すように、第２の板部１３の板厚方向に挿通可能でであって、且つ回転不能な形状（正円に近似しかつ中心側に突出した部分のある形状）にされている。
【００１６】
例えば、図６に示すように、中心点を同じくする２つの多角形（例えば図６では六角形）を周方向にずらした複数の窪み部と複数の突出部を有する星形の穴形形状にされている。あるいは、図７に示す多角形と正円を重ねた穴形形状、あるいは、図８に示す複数の突起を正円から内側に突出させた穴形形状などでもよい。
【００１７】
フランジ付きナット４０は、筒状の内周にネジ面４１ａが形成された頭部（例えば六角柱形の）４１とフランジ部４２から成り、図５に示すように取付け穴２５に第２の板部１３の上側から頭部４１をいれると、フランジ部４２が取付け穴２５の穴縁に接触するので取付け穴２５から落下しない。
【００１８】
この状態で第２の板部１３の下側から頭部４１のネジ面４１ａに吊りボルト３０の上端部３０ａを少しネジこんで、そのまま下方で作業者が吊りボルト３０を回転させると、図９に示すように頭部４１は取付け穴２５の形状から回転不能のため吊りボルト３０と共回りしないので、吊りボルト３０の上端部３０ａがフランジ部４２の上方に突出するまでネジこむことができる。
【００１９】
従って、前期した高価な共回り防止用受け具やＴ字形ナットを別途購入しなくて済み、しかも吊りボルト３０の径に合わせてネジ穴の径の異なる市販の安価なフランジ付きナットを用いればよい。
【００２０】
また、取付け穴２５は前記したように内側に突出した部分があっても正円に近似した形状で平板状に形成されているので、電線管、ケーブル、照明器具などを取付けるための取付け補助具も正円の穴と同様に使用することができ、電線管、ケーブル、照明器具の支持にも支障を生じることがない。図１０は電線管を保持するための取付け補助具３５を取付け穴２５に取付けた状態を示している。
【００２４】
なお、前記実施形態では六角形のフランジ付きナット、六角形の貫通穴を示しているが、四角形、五角形など要は多角形のフランジ付きナット、取付け穴でもよい。
図１１、図１２は四角柱状のフランジ付きナット４０ａを示している。即ち、図１２において４１ｂは四角柱状の頭部で四つの隅部は円弧状周面４１ｂ′となっており、その上部にフランジ部４２ａが４つ設けられている。つまり、本発明のフランジ付きナットのフランジ部は、全周に連続して突出する構造だけでなく、この例のように一部のみが突出する構造でもよい。
図１３は２つの四角形を周方向にずらした形状の取付け穴２５ａを示していて、図１１、図１２の四角柱状の頭部４１ｂが回転不能に収容される。
【００２６】
なお、前記フランジ付きナット４０のフランジ部４２は頭部４１から一体的に突設されたものでもよく、あるいは別体のフランジ部４２をカシメなどで固定したものでもよい。
【図面の簡単な説明】
【００２７】
【図１】本発明の一実施形態の支持金具を示す斜視図
【図２】本発明の一実施形態の支持金具を示す側面図
【図３】本発明の一実施形態の支持金具の使用状態を示す断面図
【図４】フランジ付き多角形ナットを示す斜視図
【図５】本発明の一実施形態の支持金具の使用状態を示す断面図
【図６】本発明の一実施形態の支持金具の取付け穴を示す平面図
【図７】本発明の一実施形態の支持金具の取付け穴を示す平面図
【図８】本発明の一実施形態の支持金具の取付け穴を示す平面図
【図９】本発明の一実施形態の支持金具の取付け穴とフランジ付きナットの関係を示す平面図
【図１０】本発明の一実施形態の支持金具の取付け穴に取付け補助具との関係を示す断面図
【図１１】フランジ付きナットの他の例を示す底面図
【図１２】フランジ付きナットの他の例を示す側面図
【図１３】本発明の一実施形態の支持金具の取付け穴を示す平面図
【符号の説明】
【００２８】
１０      支持金具
１２      第１の板部
１３      第２の板部
２５      取付け穴
３０      吊りボルト
４０      フランジ付きナット
４１      頭部
【図１】
0004510115.tif 000002
【図２】
0004510115.tif 000003
【図３】
0004510115.tif 000004
【図４】
0004510115.tif 000005
【図５】
0004510115.tif 000006
【図６】
0004510115.tif 000007
【図７】
0004510115.tif 000008
【図８】
0004510115.tif 000009
【図９】
0004510115.tif 000010
【図１０】
0004510115.tif 000011
【図１１】
0004510115.tif 000012
【図１２】
0004510115.tif 000013
【図１３】
0004510115.tif 000014